(57)【要約】【課題】相手に気を使わせることなく、通話を希望していることを相手に通知できるようにする。【解決手段】電話機１Ａ、１Ｂにおいて、ＣＰＵ１１は、相手先電話番号を押下した後、通話希望ボタン１３ｂが押下されると、通信制御部１７により通話希望情報を相手先電話番号に送信する。通信制御部１７により通話希望情報が受信されると、ＣＰＵ１１は、予め定められた表示時間だけ通話希望通知を表示部１４に表示する。予め定められた表示時間が経過すると、通話希望通知の表示を消去する。【選択図】図１
2014023046.tif 000002
【特許請求の範囲】
【請求項１】
相手先の通信装置を指定するための相手先指定手段と、
前記相手先指定手段により指定された相手先の通信装置に対し、通話希望通知を所定の期間、出力させるための通話希望情報を送信する制御手段と、
を備える通信装置。
【請求項２】
前記相手先の通信装置に通話希望通知を出力させる期間を設定するための期間設定手段を備える請求項１に記載の通信装置。
【請求項３】
前記通話希望通知は、通話希望メッセージを含み、
前記通話希望メッセージを設定するためのメッセージ設定手段を備える請求項１又は２に記載の通信装置。
【請求項４】
前記通話希望通知の取り消し指示を入力するための取り消し指示手段を備え、
前記制御手段は、前記取り消し指示手段から入力があった場合に、前記通話希望情報を送信した相手先の通信装置に対し、前記通話希望通知の取り消しを指示するキャンセル情報を送信する請求項１〜３の何れか一項に記載の通信装置。
【請求項５】
前記相手先指定手段は、複数の通信装置を相手先として指定可能に構成され、
前記制御手段は、前記相手先指定手段により指定された複数の相手先の通信装置に、通話希望情報を送信する請求項１〜４に何れか一項に記載の通信装置。
【請求項６】
前記制御手段は、前記通話希望情報を送信した複数の通信装置の何れかから着信があった場合に、前記通話希望情報を送信した他の相手先の通信装置に、前記通話希望通知の取り消しを指示するキャンセル情報を送信する請求項５に記載の通信装置。
【請求項７】
外部の通信装置から通話希望情報を受信する受信手段と、
前記受信手段が前記通話希望情報を受信した場合に、通話希望通知を所定の期間、出力する出力手段と、
を備える通信装置。
【請求項８】
前記出力手段は、前記外部の通信装置から前記通話希望情報と併せて前記通話希望通知の出力期間を指示する情報が受信された場合に、前記指示された出力期間、前記通話希望通知を出力する請求項７に記載の通信装置。
【請求項９】
前記通話希望通知は、通話希望メッセージを含み、
前記出力手段は、前記外部の通信装置から前記通話希望情報と併せて前記通話希望メッセージを示す情報が受信された場合に、当該受信された通話希望メッセージを示す情報に基づいて、前記通話希望メッセージを出力する請求項７又は８に記載の通信装置。
【請求項１０】
前記出力手段は、前記外部の通信装置から前記通話希望通知の取り消しを指示するキャンセル情報が受信された場合に、前記通話希望通知の出力を停止する請求項７〜９の何れか一項に記載の通信装置。
【請求項１１】
前記出力手段が、前記通話希望通知を出力している場合に、オフフックをすると前記外部の通信装置に発信する発信手段を備える請求項７〜１０の何れか一項に記載の通信装置。
【請求項１２】
前記通信装置は、電話機である請求項１〜１１の何れか一項に記載の通信装置。
【請求項１３】
複数の通信装置が通信ネットワークを介して接続される通信システムであって、
前記複数の通信装置のうちの第１の通信装置は、
相手先となる第２の通信装置を指定するための相手先指定手段と、
前記相手先指定手段により指定された第２の通信装置に対し、通話希望通知を所定の期間、出力させるための通話希望情報を送信する通話希望送信手段と、を備え、
前記第２の通信装置は、
前記第１の通信装置から前記通話希望情報を受信した場合に、通話希望通知を所定の期間、出力する出力手段を備える通信システム。
【請求項１４】
前記第１の通信装置は、
前記通話希望通知の出力期間を設定するための期間設定手段を備え、
前記通話希望送信手段は、前記第２の通信装置に対し、前記通話希望情報と併せて前記期間設定手段により設定された出力期間を指示する情報を送信し、
前記出力手段は、前記第１の通信装置から前記通話希望情報とともに前記出力期間を指示する情報を受信した場合に、前記指示された出力期間、前記通話希望通知を出力する請求項１３に記載の通信システム。
【請求項１５】
前記通話希望通知は、通話希望メッセージを含み、
前記第１の通信装置のそれぞれは、
前記通話希望メッセージを設定するためのメッセージ設定手段を備え、
前記通話希望送信手段は、前記第２の通信装置に対し、前記通話希望情報と併せて前記メッセージ設定手段により設定された通話希望メッセージを示す情報を送信し、
前記出力手段は、前記第１の通信装置から前記通話希望情報とともに前記通話希望メッセージを示す情報を受信した場合に、当該受信された通話希望メッセージを示す情報に基づいて、前記通話希望メッセージを出力する請求項１３又は１４に記載の通信システム。
【請求項１６】
前記第１の通信装置は、
前記通話希望通知の取り消し指示を入力するための取り消し指示手段と、
前記取り消し指示手段から入力があった場合に、前記第２の通信装置に対し、前記通話希望通知の取り消しを指示するキャンセル情報を送信するキャンセル情報送信手段と、を備え、
前記出力手段は、前記第１の通信装置から前記キャンセル情報を受信した場合に、前記通話希望通知の出力を停止する請求項１３〜１５の何れか一項に記載の通信システム。
【請求項１７】
前記相手先指定手段は、複数の第２の通信装置を相手先として指定可能に構成され、
前記通話希望送信手段は、前記相手先指定手段により指定された複数の第２の通信装置に対し、前記通話希望情報を送信する請求項１３〜１６に何れか一項に記載の通信システム。
【請求項１８】
前記通話希望送信手段は、前記複数の第２の通信装置の何れかから着信があった場合に、他の前記第２の通信装置に対し、前記通話希望通知の取り消しを指示するキャンセル情報を送信する請求項１７に記載の通信システム。
【請求項１９】
通信装置に用いられるコンピュータを、
相手先の通信装置を指定するための相手先指定手段、
前記相手先指定手段により指定された相手先の通信装置に対し、通話希望通知を所定の期間、出力させるための通話希望情報を送信する制御手段、
として機能させるためのプログラム。
【請求項２０】
通信装置に用いられるコンピュータを、
外部の通信装置から通話希望情報を受信する受信手段、
前記受信手段が前記通話希望情報を受信した場合に、通話希望通知を所定の期間、出力する出力手段、
として機能させるためのプログラム。
【発明の詳細な説明】
【技術分野】
【０００１】
本発明は、通信装置、通信システム及びプログラムに関する。
【背景技術】
【０００２】
従来、電話機で会話を楽しもうとする場合、相手が忙しいかどうかが気になっても実際に電話をかけて相手に都合を聞いてみないとわからず、手軽に会話を楽しみたい場合に不便であった。或いは、相手の都合が良いかを確認してから通話をするために、事前にメールを送って確認してから電話をかけるなどの手間をかける必要があった。
【０００３】
例えば、特許文献１には、そのときの気分、暇／忙しいなどの状況を示す存在情報を相手端末に送信すると、相手端末においてその存在情報に応じて呼び出し音の曲調等を変えて出力を行い、相手に自分の状況を知らせる技術が記載されている。
【先行技術文献】
【特許文献】
【０００４】
【特許文献１】特開２００３−１１６１６５号公報
【発明の概要】
【発明が解決しようとする課題】
【０００５】
しかしながら、特許文献１においては、発信側が自分の状況を相手に伝えることはできるが、相手の状況を配慮したものではない。また、現在の自分の状況（存在情報）の設定をその都度変更する必要があり、実用的ではなかった。
【０００６】
また、電話機によっては、着信履歴を通知するシステムを保有しているものや、留守番電話機能を有するものが知られている。しかし、いずれも電話の着信状況を示すだけであり、相手先では発信者が暇だから会話を楽しむために電話をしてきたのか緊急の用事があって電話をしてきたのかは区別できない。そのため、折り返し電話をしなければならないという負担を相手に強いてしまう場合があった。
【０００７】
本発明の課題は、相手に気を使わせることなく、通話を希望していることを相手に通知できるようにすることである。
【課題を解決するための手段】
【０００８】
上記課題を解決するため、請求項１に記載の発明は、
相手先の通信装置を指定するための相手先指定手段と、
前記相手先指定手段により指定された相手先の通信装置に対し、通話希望通知を所定の期間、出力させるための通話希望情報を送信する制御手段と、
を備える。
【発明の効果】
【０００９】
本発明によれば相手に気を使わせることなく、通話を希望していることを相手に通知することが可能となる。
【図面の簡単な説明】
【００１０】
【図１】第１の実施形態における通信システムの全体構成例を示す図である。
【図２】通信装置の機能的構成を示すブロック図である。
【図３】第１の実施形態において送信側の通信装置により実行される通話希望ボタン処理を示すフローチャートである。
【図４】第１の実施形態において受信側の通信装置により実行される通話希望通知表示処理を示すフローチャートである。
【図５】第２の実施形態における通信システムの全体構成例を示す図である。
【図６】第２の実施形態において通信装置により実行される初期設定処理を示すフローチャートである。
【図７】第２の実施形態において送信側の通信装置により実行される時間設定ボタン処理を示すフローチャートである。
【図８】第２の実施形態において送信側の通信装置により実行される通話希望ボタン処理Ｂを示すフローチャートである。
【図９】第２の実施形態において受信側の通信装置により実行される通話希望通知表示処理Ｂを示すフローチャートである。
【図１０】第３の実施形態における通信システムの全体構成例を示す図である。
【図１１】メッセージテーブルの一例を示す図である。
【図１２】第３の実施形態において通信装置により実行される初期設定処理Ｃを示すフローチャートである。
【図１３】第３の実施形態において送信側の通信装置により実行されるメッセージボタン処理を示すフローチャートである。
【図１４】メッセージボタンを押下したときの表示パネルの表示遷移を示す図である。
【図１５】第３の実施形態において送信側の通信装置により実行される通話希望ボタン処理Ｃを示すフローチャートである。
【図１６】第３の実施形態において受信側の通信装置により実行される通話希望通知表示処理Ｃを示すフローチャートである。
【図１７】第４の実施形態における通信システムの全体構成例を示す図である。
【図１８】メッセージ送信履歴記憶部のデータ格納例を示す図である。
【図１９】第４の実施形態において送信側の通信装置により実行される通話希望ボタン処理Ｄを示すフローチャートである。
【図２０】第４の実施形態において送信側の通信装置により実行される表示キャンセルボタン処理を示すフローチャートである。
【図２１】第４の実施形態において受信側の通信装置により実行される表示キャンセル受信処理を示すフローチャートである。
【図２２】第５の実施形態における通信システムの全体構成例を示す図である。
【図２３】電話番号情報リスト記憶部のデータ格納例を示す図である。
【図２４】第５の実施形態において送信側の通信装置により実行される宛先追加ボタン処理を示すフローチャートである。
【図２５】第５の実施形態において送信側の通信装置により実行される通話希望ボタン処理Ｅを示すフローチャートである。
【発明を実施するための形態】
【００１１】
以下、添付図面を参照して本発明に係る好適な実施の形態を詳細に説明する。なお、本発明は、図示例に限定されるものではない。
【００１２】
［第１の実施の形態］
先ず、第１の実施の形態の構成について説明する。
図１は、第１の実施の形態における通信システム１００の全体構成を示す図である。
通信システム１００は、電話機１Ａ、電話機１Ｂが通信ネットワークＮを介して接続可能に構成されている。
本実施の形態においては、電話機１Ａ、１Ｂを固定電話機として、通信ネットワークＮを回線、回線交換機、中継交換機等を含む公衆電話回線網として説明するが、これに限定されるものではない。例えば、電話機１Ａ、１ＢをＩＰ(Internet Protocol)電話、携帯電話機、ＰＨＳ(Personal Handy-phone System）、スマートフォン等の他の通信装置とし、通信ネットワークＮをインターネット、移動体通信網、ＩＳＤＮ回線等を含む他のネットワークとしてもよい。
【００１３】
図２は、電話機１Ａ及び１Ｂの機能的構成を示すブロック図である。
図２に示すように、電話機１Ａ、１Ｂは、ＣＰＵ（Central Processing Unit）１１と、ＲＡＭ（Random Access Memory）１２と、操作部１３と、表示部１４と、記憶部１５と、送受話部１６と、通信制御部１７と、タイマー１８と、を備えて構成され、各部がバス１９を介して接続されている。電話機１Ａと電話機１Ｂとは、同様の構成及び機能を有する電話機である。
【００１４】
ＣＰＵ１１は、記憶部１５に記憶されているシステムプログラムを読み出し、ＲＡＭ１２のワークエリアに展開し、該システムプログラムに従って各部を制御する。また、ＣＰＵ１１は、記憶部１５に記憶されている処理プログラム１５ａ（図示せず）を読み出してワークエリアに展開し、後述する通話動作、通話希望通知動作に係る各種処理を実行することにより制御手段、通話希望送信手段として機能する。
【００１５】
ＲＡＭ１２は、揮発性のメモリである。また、ＲＡＭ１２は、実行される各種プログラムやこれら各種プログラムに係るデータ等を格納するワークエリアを有する。
【００１６】
操作部１３は、図１に示すように、相手先指定手段としてのダイヤルボタン群１３ａや、通話希望ボタン１３ｂ等を備え、ユーザによる各ボタンの押下入力を受け付けてその操作情報をＣＰＵ１１に出力する。
【００１７】
表示部１４は、表示パネル１４ａ、通話希望表示装置１４ｂ等を備えて構成されている。表示パネル１４ａは、ＬＣＤ（Liquid Crystal Display）等により構成され、ＣＰＵ１１からの表示制御信号に従って、相手先電話番号、着信番号等の表示を行う。通話希望表示装置１４ｂは、ＬＥＤ（Light Emitting Diode）等により表示され、ＣＰＵ１１からの制御信号に従って点灯することで、通話希望ボタン１３ｂに基づく着信があったことをユーザに通知する。
【００１８】
記憶部１５は、磁気記録媒体を有するＨＤＤ（Hard Disk Drive）、不揮発性の半導体メモリ等により構成される。記憶部１５には、図２に示すように、プログラム記憶部１５０が設けられている。
【００１９】
プログラム記憶部１５０には、ＣＰＵ１１で実行されるシステムプログラムや処理プログラム１５ａ、これらのプログラムの実行に必要なデータ等が記憶されている。処理プログラム１５ａには、後述する通話希望ボタン処理、通話希望通知表示処理を始めとする各種処理を実行するためのプログラムが含まれる。これらのプログラムは、コンピュータ読み取り可能なプログラムコードの形態でプログラム記憶部１５０に格納されている。ＣＰＵ１１は、当該プログラムコードに従った動作を逐次実行する。
【００２０】
送受話部１６は、図示しないマイクやスピーカを備える受話器１６ａ、着信音等を出力するためのスピーカ１６ｂ等を備える。受話器１６ａには、図示しない通話路スイッチが設けられており、ユーザによりオフフック操作が行われると、回線ループを形成する。
【００２１】
通信制御部１７は、通信ネットワークＮに接続された他の電話機との間での通話信号や制御信号の通信を行う。
【００２２】
タイマー１８は、設定された時間までの残り時間をカウントし、計測開始時点から設定された時間が経過したときに、ＣＰＵ１１に通知信号を出力する。
【００２３】
次に、通信システム１００の動作について説明する。
通信システム１００においては、従来からの通話動作の他、通話希望であることを相手に通知するための通話希望通知を相手先の電話機に出力させる通話希望動作を行うことができる。
電話機１Ａ又は１Ｂにおいて、ダイヤルボタン群１３ａで相手先の電話番号が押下されると、押下された相手先の電話番号が表示部１４の表示パネル１４ａに表示される。図１の電話機１Ａは、電話番号が表示パネル１４ａに表示された状態を示している。
【００２４】
図１の電話機１Ａに示す表示パネル１４ａの状態において受話器１６ａが持ち上げられると（オフフック操作されると）、通話動作が行われる。即ち、表示された相手先の電話番号が通信制御部１７により通信ネットワークＮに送信され、その電話番号の電話機（相手先電話番号）に接続される。相手先の電話機においてオフフック操作が行われると、通話が可能となる。
【００２５】
また、図１の電話機１Ａに示す表示パネル１４ａの状態で、通話希望ボタン１３ｂが押下されると、通話希望通知動作が行われる。通話希望通知動作は、相手が忙しい状態かわからないが、時間があるなら会話をしたいときに押下することにより、相手側の電話機に通話希望通知を表示させる動作である。
以下、通話希望通知動作について説明する。
【００２６】
（送信側の処理）
図３は、電話機１Ａ又は１Ｂにおいて、ダイヤルボタン群１３ａより相手先の電話番号が押下された後、通話希望ボタン１３ｂが押下された際にＣＰＵ１１により実行される通話希望ボタン処理の動作を示すフローチャートである。通話希望ボタン処理は、ＣＰＵ１１と処理プログラム１５ａとの協働により実行される。
【００２７】
通話希望ボタン１３ｂが押下されると、表示パネル１４ａに表示されている相手先の電話番号が取得される（ステップＳ１）。
次いで、相手先の電話機に対し、予め定められた時間、通話希望通知を表示させるための通話希望情報が作成され（ステップＳ２）、通話希望情報が通信制御部１７により通信ネットワークＮを介して相手先電話番号宛に送信される（ステップＳ３）。
ステップＳ３においては、具体的には、相手先電話番号と通話希望情報が信号として通信制御部１７により通信ネットワークＮの回線に送信される。信号が回線交換機に到達すると、回線交換機では、送信元電話番号が識別され、通話希望情報に送信元電話番号が付加され、相手先電話番号宛に送信される。
【００２８】
（受信側の処理）
次に、電話機１Ａ又は１Ｂにおいて、通話希望情報を受信した場合に実行される処理について説明する。
図４は、電話機１Ａ又は１Ｂにおいて、通信制御部１７により他の電話機からの通話希望情報が受信された場合に、ＣＰＵ１１により実行される通話希望通知表示処理の動作を示すフローチャートである。通話希望通知表示処理は、ＣＰＵ１１と処理プログラム１５ａとの協働により実行される。
【００２９】
まず、受信された通話希望情報に付加されている送信元電話番号が取得される（ステップＳ１１）。
次いで、通話希望メッセージが作成される（ステップＳ１２）。通話希望情報は、予め定められたコード等により構成されているので、ユーザが理解できる通話希望メッセージのテキスト（ここでは、「通話希望有り」のテキスト）が作成される。
【００３０】
次いで、ステップＳ１１で取得された送信元電話番号が表示部１４の表示パネル１４ａに表示されるとともに（ステップＳ１３）、作成された通話希望メッセージが表示パネル１４ａに表示される（ステップＳ１４）。更に、通話希望表示装置１４ｂが点灯される（ステップＳ１５）。
【００３１】
図１の電話機１Ｂは、ステップＳ１３〜Ｓ１４において表示パネル１４ａに送信元電話番号及び通話希望メッセージが表示され、ステップＳ１５において通話希望表示装置１４ｂが点灯された状態を示している。これらの通話希望メッセージ、送信元電話番号、通話希望表示装置１４ｂの点灯は、通話希望を通知するための通話希望通知である。
【００３２】
次いで、タイマー１８に予め定められた時間（通話希望通知の表示時間）が設定され、計時が開始され（ステップＳ１６）、一定間隔毎にカウントダウンが行われる（ステップＳ１７）。設定された表示時間が経過し、時間のカウント動作が終了したことを通知する通知信号がタイマー１８から出力されると（ステップＳ１８；ＹＥＳ）、通話希望メッセージ及び送信元電話番号が表示パネル１４ａから消去される（ステップＳ１９）。また、通話希望表示装置１４ｂが消灯され（ステップＳ２０）、通話希望通知表示処理は終了する。
【００３３】
なお、通話希望メッセージ等の表示時間中にオフフック操作がされた場合、ＣＰＵ１１は、通信制御部１７を制御して、自動的に送信元電話番号に発呼を行うようにしてもよい。
【００３４】
以上のように、第１の実施の形態によれば、第１の通信装置としての送信側の電話機１Ａ又は１Ｂにおいて、ダイヤルボタン１３ａが押下されることにより相手先電話番号が入力された後、通話希望ボタン１３ｂが押下されると、ＣＰＵ１１は、通信制御部１７により通話希望情報を相手先電話番号に送信する。第２の通信装置としての受信側の電話機１Ａ又は１Ｂにおいて、通信制御部１７により通話希望情報が受信されると、ＣＰＵ１１は、予め定められた表示時間だけ表示部１４に通話希望通知を表示させる。予め定められた表示時間が経過すると、通話希望通知の表示を消去する。即ち、通話希望通知の表示を停止させる。
【００３５】
従って、ユーザは、実際に電話をかけて通話をしたり、予め電子メールを送信したりすることなく、通話を希望していることを相手に簡単に伝えることが可能となる。また、予め定められた時間が経過すると、通話希望通知は消去され、留守電や着信履歴機能のように履歴が残ることがないので、相手に負担をかけずに通話希望であることを伝えることができる。
また、受信側では、通話をしたい人がいることを容易に知ることが可能となり、都合が良いときだけ通話希望に応えて通話をすることが可能となる。
【００３６】
［第２の実施の形態］
次に、第２の実施の形態について説明する。
第１の実施の形態においては、通話希望通知を表示する時間は固定であった。しかし、例えば、１時間後には外出してしまうような場合、通話のできる１時間だけ通話希望通知が相手側に表示されることが好ましい。そこで、第２の実施の形態においては、通話希望通知の表示時間を送信側で設定する機能を付加し、送信元において通話希望通知の表示時間を設定できるようにする。
【００３７】
図５は、第２の実施の形態における通信システム２００の全体構成を示す図である。
図５に示すように、通信システム２００において、電話機１Ａ及び１Ｂの操作部１３は、時間設定手段としての時間設定ボタン１３ｃが備えられている。
また、記憶部１５のプログラム記憶部１５０には、システムプログラムの他、処理プログラム１５ｂ（図示せず）が記憶されている。ＣＰＵ１１は、処理プログラム１５ｂとの協働により、通話動作や、後述する通話通知動作に係る各処理（図６〜図９参照）を実行し、制御手段、通話希望送信手段として機能する。
また、記憶部１５には、図示しない表示時間設定記憶部が備えられている。
その他の通信システム２００の構成は、第１の実施の形態で説明したものと同様であるので説明を援用する。
【００３８】
次に、第２の実施の形態における通信システム２００の動作について説明する。
通信システム２００における通話動作は、第１の実施の形態で説明したものと同様であるので説明を援用し、以下、通話希望通知動作について説明する。
【００３９】
通話希望通知動作の前提として、各電話機１Ａ、１Ｂにおいては、電源投入時に、ＣＰＵ１１により図６に示す初期設定処理が実行される。
初期設定処理においては、通話希望通知を他の電話機に表示させる際のデフォルトの表示時間（ここでは６０分）が表示時間設定情報として記憶部１５の表示時間設定記憶部に記憶される（ステップＳ２１）。
【００４０】
（送信側の処理）
第２の実施の形態における電話機１Ａ、１Ｂにおいて、送信側のユーザは、まず、時間設定ボタン１３ｃを押下して表示時間設定を設定し、次いで、相手先の電話番号を押下して通話希望ボタン１３ｂを押下することで、相手先の電話機における通話希望通知の表示時間を所望の時間に設定することができる。
【００４１】
図７は、電話機１Ａ又は１Ｂにおいて、時間設定ボタン１３ｃが１回押下される毎にＣＰＵ１１により実行される時間設定ボタン処理の動作を示すフローチャートである。
【００４２】
まず、記憶部１５の表示時間設定記憶部から表示時間設定情報が取得される（ステップＳ３１）。
次いで、表示時間設定記憶部の表示時間設定情報に３０分が加算される（ステップＳ３２）。加算の結果、表示時間設定情報が８時間以上となったか否かが判断され、８時間以上になったと判断されなければ（ステップＳ３３；ＮＯ）、表示パネル１４ａに表示時間設定情報が表示される（ステップＳ３５）。
【００４３】
一方、表示時間設定情報が８時間以上となったと判断された場合（ステップＳ３３；ＹＥＳ）、表示時間設定記憶部に表示時間設定情報として３０分が設定され（ステップＳ３４）、表示パネル１４ａに表示時間設定情報が表示される（ステップＳ３５）。
ステップＳ３５においては、図５の電話機１Ａに示すように、現在の通話希望通知の表示時間の設定が表示パネル１４ａの上段に表示される。
【００４４】
上述の時間設定ボタン処理では、時間設定ボタン１４ｃが１回押下される毎に表示時間設定記憶部に記憶された表示時間を３０分ずつ増やしていき、表示時間の設定が８時間を越えると３０分に戻るようになっている。なお、デフォルトの表示時間、表示時間の上限等や表示時間を増加させる間隔等は、一例であり、これに限定されるものではない。例えば、ダイヤルボタン１３ａ等で直接表示時間を指定しても良い。
【００４５】
次に、通話希望ボタン１３ｂが押下されたときの処理について説明する。
図８は、電話機１Ａ又は１Ｂにおいて、ダイヤルボタン群１３ａの押下により相手先の電話番号が入力された後、通話希望ボタン１３ｂが押下された際にＣＰＵ１１により実行される通話希望ボタン処理Ｂの動作を示すフローチャートである。
【００４６】
なお、図５の電話機１Ａに示すように、ダイヤルボタン群１３ａにより相手先の電話番号が入力されると、入力された電話番号が表示パネル１４ａの下段に表示された状態となる。また、表示パネル１４ａの上段には、表示時間設定情報が表示されており、通話希望通知の表示時間が確認可能となっている。
【００４７】
通話希望ボタン処理Ｂにおいては、まず、表示パネル１４ａに表示されている相手先電話番号が取得される（ステップＳ４１）。
次いで、相手先の電話機に対し、予め定められた時間、通話希望通知を表示させるための通話希望情報が作成される（ステップＳ４２）。
【００４８】
次いで、記憶部１５の表示時間設定記憶部から表示時間設定情報が取得され（ステップＳ４３）、通話希望情報及び表示時間設定情報が通信制御部１７により通信ネットワークＮを介して相手先電話番号宛に送信される（ステップＳ４４）。表示時間設定情報は、相手側の電話機に対し、通話希望通知を表示する時間を指示する情報となる。
ステップＳ４４においては、具体的には、相手先電話番号、通話希望情報、表示時間設定情報が信号として通信制御部１７により通信ネットワークＮの回線に送信される。信号が回線交換機に到達すると、回線交換機では、信号の送信元電話番号が識別され、通話希望情報に表示時間設定情報及び送信元電話番号が付加された信号が生成され、相手先電話番号宛に送信される。
【００４９】
（受信側の処理）
次に、電話機１Ａ又は電話機１Ｂにおいて、通話希望情報を受信した場合に実行される処理について説明する。
図９は、電話機１Ａ又は１Ｂにおいて、通信制御部１７により通話希望情報が受信された場合に、ＣＰＵ１１により実行される通話希望通知表示処理Ｂの動作を示すフローチャートである。
【００５０】
まず、受信された通話希望情報に付加されている送信元電話番号が取得される（ステップＳ５１）。
次いで、通話希望メッセージが作成される（ステップＳ５２）。通話希望情報は、予め定められたコード等により構成されているので、ユーザが理解できる通話希望メッセージ（ここでは、「通話希望有り」のテキスト）が作成される。
【００５１】
次いで、ステップＳ５１で取得された送信元電話番号が表示部１４の表示パネル１４ａの下段に表示されるとともに（ステップＳ５３）、通話希望メッセージが表示パネル１４ａの上段に表示される（ステップＳ５４）。更に、通話希望表示装置１４ｂが点灯される（ステップＳ５５）。
【００５２】
図５の電話機１Ｂは、ステップＳ５３〜Ｓ５４において表示パネル１４ａに送信元電話番号及び通話希望メッセージが表示され、ステップＳ５５において通話希望表示装置１４ｂが点灯された状態を示している。
【００５３】
次いで、通話希望通知情報に表示時間設定情報が付加されているか否かが判断される（ステップＳ５６）。通話希望通知情報に表示時間設定情報が付加されていると判断されると（ステップＳ５６；ＹＥＳ）、表示時間設定情報が取得され（ステップＳ５７）、タイマー１８に表示時間設定情報がセットされ（ステップＳ５８）、処理はステップＳ６０に移行する。
【００５４】
一方、通話希望通知情報に表示時間設定情報が付加されていないと判断されると（ステップＳ５６；ＮＯ）、タイマー１８にデフォルト表示時間が設定され（ステップＳ５９）、処理はステップＳ６０に移行する。
【００５５】
ステップＳ６０においては、タイマー１８により計時が開始され（ステップＳ６０）、一定間隔毎にカウントダウンが行われる（ステップＳ６１）。設定された表示時間が経過し、時間のカウント動作が終了したことを通知する通知信号がタイマー１８から出力されると（ステップＳ６２；ＹＥＳ）、通話希望メッセージ及び送信元電話番号が表示パネル１４ａから消去される（ステップＳ６３）。また、通話希望表示装置１４ｂが消灯され（ステップＳ６４）、通話希望通知表示処理Ｂは終了する。
【００５６】
以上のように、第２の実施の形態によれば、第１の通信装置としての送信側の電話機１ａ又は１ｂにおいて、時間設定ボタン１３ｃの操作により通話希望通知の相手先への表示時間が設定された後、通話希望ボタン１３ｂが押下されると、ＣＰＵ１１は、設定された表示時間設定情報を通話希望情報に付加して通信制御部１７により第２の通信装置としての相手先の電話機に送信する。相手先の電話機においては、通話希望情報とともに表示時間設定情報が受信されると、ＣＰＵ１１は、表示時間設定情報が示す表示時間だけ表示部１４に通話希望通知を表示させる。表示時間が経過すると、通話希望通知の表示を消去する。即ち、通話希望通知の表示を停止する。
【００５７】
従って、送信元の電話機において相手先の電話機の通話希望通知の表示時間を制御することができるので、例えば、１時間後には外出してしまうような場合、通話のできる１時間だけ通話希望通知が相手側に表示されるようにするといったことが可能となり、利便性が向上する。
【００５８】
［第３の実施の形態］
次に、第３の実施の形態について説明する。
第１及び第２の実施の形態においては、相手側の電話機に表示される通話希望メッセージは「通話希望有り」等の固定されたメッセージであった。しかし、例えば、「いま暇？」、「至急電話頂戴！」など、発信者側の状況によって通話希望メッセージを変えることができると、発信者側の状況を相手側に伝えることができ、より利便性が向上する。
そこで、第３の実施の形態においては、相手側の電話機に表示する通話希望メッセージを設定する機能を付加し、送信者側の状況を相手側に知らせることができるようにする。
【００５９】
図１０は、第３の実施の形態における通信システム３００の全体構成を示す図である。
図１０に示すように、通信システム３００において、電話機１Ａ及び１Ｂの操作部１３は、それぞれに、メッセージ設定手段としてのメッセージボタン１３ｄが備えられている。
【００６０】
また、記憶部１５のプログラム記憶部１５０には、システムプログラムの他、図示しない処理プログラム１５ｃが記憶されている。ＣＰＵ１１は、処理プログラム１５ｃとの協働により、通話動作や、後述する通話通知動作に係る各処理（図１２〜図１６参照）を実行し、制御手段、通話希望送信手段として機能する。
【００６１】
また、記憶部１５には、メッセージテーブル１５１が記憶されている。
図１１に、メッセージテーブル１５１の一例を示す。図１１に示すように、メッセージテーブル１５１には、メッセージ番号と、通話希望メッセージのテキストとが対応付けて記憶されている。
また、記憶部１５には、表示時間設定記憶部が設けられているほか、図示しないメッセージ番号記憶部が備えられている。
その他の通信システム３００の構成は、第２の実施の形態で説明したものと同様であるので説明を援用する。
【００６２】
次に、第３の実施の形態における通信システム３００の動作について説明する。
通信システム３００における通話動作は、第１の実施の形態で説明したものと同様であるので説明を援用し、以下、通話希望通知動作について説明する。
【００６３】
通話希望通知動作の前提として、各電話機１Ａ、１Ｂにおいては、電源投入時に、ＣＰＵ１１と処理プログラム１５ｃとの協働により図１２に示す初期設定処理Ｃが実行される。
図１２に示すように、初期設定処理Ｃにおいては、まず、通話希望通知を他の電話機に表示させる際のデフォルトの表示時間（ここでは６０分）が表示時間設定情報として記憶部１５の表示時間設定記憶部に記憶される（ステップＳ７１）。
次いで、通話希望メッセージを示すメッセージ番号のデフォルト値として、メッセージテーブル１５１のメッセージ番号１番が記憶部１５のメッセージ番号記憶部に記憶される（ステップＳ７２）。
【００６４】
（送信側の処理）
第３の実施の形態における電話機１Ａ、１Ｂにおいて、送信側のユーザは、時間設定ボタン１３ｃを押下することで、相手先の電話機への通話希望通知の表示時間を設定することができる。また、ダイヤルボタン群１３ａにより相手先の電話番号を押下した後、メッセージボタン１３ｄを押下して相手先の電話機に表示する通話希望メッセージの種類を設定し、通話希望ボタン１３ｂを押下することで、相手先の電話機に、所望の通話希望メッセージを含む通話希望通知を所望の時間だけ表示させることができる。
【００６５】
なお、ダイヤルボタン群１３ａにより相手先の電話番号が入力されると、図１０の電話機１Ａに示すように、表示パネル１４ａの下段に入力された電話番号が表示される。表示パネル１４ａの上段には、表示時間設定情報が表示され、通話希望通知の表示時間が確認可能となる。
【００６６】
以下、電話機１Ａ又は１Ｂにおいて上記各ボタンが操作されたときにＣＰＵ１１と処理プログラム１５ｃとの協働により実行される各処理について説明する。
なお、時間設定ボタン１３ｃが１回押下される毎に実行される時間設定ボタン処理は、第２の実施の形態において図７を用いて説明したものと同様であるので説明を援用する。
【００６７】
図１３は、電話機１Ａ又は１Ｂにおいて、メッセージボタン１３ｄが１回押下される毎にＣＰＵ１１により実行されるメッセージボタン処理の動作を示すフローチャートである。
【００６８】
まず、記憶部１５のメッセージ番号記憶部からメッセージ番号が取得される（ステップＳ８１）。
次いで、表示部１４の表示パネル１４ａに通話希望メッセージが表示中であるか否かが判断される（ステップＳ８２）。
表示パネル１４ａに通話希望メッセージが表示中ではないと判断されると（ステップＳ８２；ＮＯ）、記憶部１５に記憶されているメッセージテーブル１５１からメッセージ番号記憶部のメッセージ番号に対応するテキストが取得される（ステップＳ８６）。そして、取得されたテキストが表示パネル１４ａの上段に表示され（ステップＳ８７）、メッセージボタン処理は終了する。
【００６９】
一方、表示パネル１４ａに通話希望メッセージが表示中であると判断された場合（ステップＳ８２；ＹＥＳ）、メッセージ番号記憶部のメッセージ番号に１が加算される（ステップＳ８３）。
次いで、加算後のメッセージ番号がメッセージテーブル１５１の最終レコードの番号であるか否かが判断され、最終レコードの番号ではないと判断されると（ステップＳ８４；ＮＯ）、メッセージテーブル１５１からメッセージ番号に対応するテキストが取得される（ステップＳ８６）。そして、取得されたテキストが表示パネル１４ａの上段に表示され（ステップＳ８７）、メッセージボタン処理は終了する。
【００７０】
一方、メッセージ番号が最終レコードの番号であると判断されると（ステップＳ８４；ＹＥＳ）、メッセージ番号記憶部にメッセージ番号１がセットされる（ステップＳ８５）。そして、メッセージテーブル１５１からメッセージ番号に対応するテキストが取得され（ステップＳ８６）、取得されたテキストが表示パネル１４ａの上段に表示され（ステップＳ８７）、メッセージボタン処理は終了する。
【００７１】
図１４に、メッセージボタン１３ｄを押下したときの表示パネル１４ａの表示遷移の一例を示す。図１４のＰ１に示すように、メッセージボタン１３ｄを押下する時点で表示パネル１４ａの上段に通話希望メッセージが表示されていなかった場合、メッセージボタン１３ｄが押下されると、図１４のＰ２に示すように、デフォルトのメッセージ番号１に対応する「いま暇？」という通話希望メッセージが表示される。更に、メッセージボタン１３ｄが押下されると、図１４のＰ３に示すように、メッセージ番号１に１を加算したメッセージ番号２に対応する「至急電話ください！」という通話希望メッセージが表示される。
このように、メッセージボタン１３ｄを１回押下する毎に、メッセージ番号記憶部のメッセージ番号が１ずつ加算され、メッセージテーブル１５１に記憶されている対応する通話希望メッセージのテキストが表示され、表示されたメッセージのメッセージ番号を相手先に表示する通話希望メッセージとしてメッセージ番号記憶部に設定することができる。
【００７２】
次に、通話希望ボタン１３ｂが押下されたときの処理について説明する。
図１５は、通話希望ボタン１３ｂが１回押下される毎にＣＰＵ１１により実行される通話希望ボタン処理Ｃの動作を示すフローチャートである。
【００７３】
通話希望ボタン処理Ｃにおいては、まず、表示パネル１４ａに表示されている相手先電話番号が取得される（ステップＳ９１）。
【００７４】
次いで、相手先の電話機に対し、予め定められた時間、通話希望通知を表示させるための通話希望情報が作成される（ステップＳ９２）。
次いで、記憶部１５の表示時間設定記憶部から表示時間設定情報が取得される（ステップＳ９３）。
次いで、記憶部１５のメッセージ番号記憶部からメッセージ番号が取得される（ステップＳ９４）。
そして、通話希望情報、表示時間設定情報及びメッセージ番号が通信制御部１７により通信ネットワークＮを介して相手先電話番号宛に送信される（ステップＳ９５）。
ステップＳ９５においては、具体的には、相手先電話番号、通話希望情報、表示時間設定情報、及びメッセージ番号が信号として通信制御部１７により通信ネットワークＮの回線に送信される。信号が回線交換機に到達すると、回線交換機では、信号の送信元電話番号が識別され、通話希望情報に表示時間設定情報及び送信元電話番号が付加された信号が生成され、相手先電話番号宛に送信される。
【００７５】
（受信側の処理）
次に、電話機１Ａ又は１Ｂにおいて通話希望情報が受信された場合に実行される処理について説明する。
図１６は、電話機１Ａ又は１Ｂにおいて、通信制御部１７により通話希望情報が受信された場合に、ＣＰＵ１１により実行される通話希望通知表示処理Ｃの動作を示すフローチャートである。
【００７６】
まず、受信された通話希望情報に付加されている送信元電話番号が取得される（ステップＳ１０１）。
次いで、受信された通話希望情報に付加されているメッセージ番号が取得され（ステップＳ１０２）、記憶部１５のメッセージテーブル１５１からメッセージ番号に対応するテキストが取得される（ステップＳ１０３）。
【００７７】
次いで、ステップＳ１０１で取得された送信元電話番号が表示部１４の表示パネル１４ａに表示されるとともに（ステップＳ１０４）、ステップＳ１０３で取得された通話希望メッセージのテキストが表示パネル１４ａに表示される（ステップＳ１０５）。更に、通話希望表示装置１４ｂが点灯される（ステップＳ１０６）。
【００７８】
図１０の電話機１Ｂは、ステップＳ１０４、Ｓ１０５において表示パネル１４ａに送信元電話番号及び通話希望メッセージが表示され、ステップＳ１０６において通話希望表示装置１４ｂが点灯された状態を示している。
【００７９】
次いで、通話希望通知情報に表示時間設定情報が付加されているか否かが判断される（ステップＳ１０７）。通話希望通知情報に表示時間設定情報が付加されていると判断されると（ステップＳ１０７；ＹＥＳ）、表示時間設定情報が取得され（ステップＳ１０８）、タイマー１８に表示時間設定情報が表示時間として設定され（ステップＳ１０９）、処理はステップＳ１１１に移行する。
【００８０】
一方、通話希望通知情報に表示時間設定情報が付加されていないと判断されると（ステップＳ１０７；ＮＯ）、タイマー１８にデフォルト表示時間が表示時間として設定され（ステップＳ１１０）、処理はステップＳ１１１に移行する。
【００８１】
ステップＳ１１１においては、タイマー１８により計時が開始され（ステップＳ１１１）、一定間隔毎にカウントダウンが行われる（ステップＳ１１２）。設定された表示時間が経過し、時間のカウント動作が終了したことを通知する通知信号がタイマー１８から出力されると（ステップＳ１１３；ＹＥＳ）、通話希望メッセージ及び送信元電話番号が表示パネル１４ａから消去される（ステップＳ１１４）。また、通話希望表示装置１４ｂが消灯され（ステップＳ１１５）、通話希望通知表示処理Ｃは終了する。
【００８２】
以上のように、第３の実施の形態によれば、第１の通信装置としての送信側の電話機１Ａ又は１Ｂにおいて、メッセージボタン１３ｄにより通話希望メッセージが選択された後、通話希望ボタン１３ｂが押下されると、ＣＰＵ１１は、選択されたメッセージのメッセージ番号を通話希望情報に付加して通信制御部１７により第２の通信装置としての相手先の電話機に送信する。相手先の電話機において、通信制御部１７により通話希望情報と併せてメッセージ番号が受信されると、ＣＰＵ１１は、メッセージ番号に対応する通話希望メッセージを表示パネル１４ａに表示する。
【００８３】
従って、例えば、「いま暇？」、「至急電話頂戴！」など、発信者側の状況によって相手の電話機に表示される通話希望メッセージを変えることができるので、発信者（送信者）側の状況を相手側に伝えることができ、より利便性が向上する。
【００８４】
なお、上記第３の実施の形態においては、第２の実施の形態の電話機１Ａ、１Ｂにメッセージボタン１３ｄを設けた例を説明したが、第１の実施の形態の電話機１Ａ、１Ｂ（即ち、時間設定ボタンのない電話機）にメッセージボタン１３ｄを設けることとしてもよい。そして、送信側の電話機において通話希望メッセージを設定可能とし、通話希望情報と併せてメッセージ番号を相手先の電話機に送信することで、相手側の電話機に所望の通話希望メッセージを表示できるようにしてもよい。
【００８５】
［第４の実施の形態］
次に、第４の実施の形態について説明する。
第１〜第３の実施の形態においては、相手の電話機に表示される通話希望メッセージは、固定時間、或いは設定された時間表示し続け、表示時間が経過すると自動的に消える仕組みとなっており、送信元から表示を停止させることはできなかった。しかしながら、通話希望メッセージを送信した後で、急な外出や来客で通話希望メッセージの発信者の都合が悪くなることもあり得る。そこで、第４の実施の形態においては、送信済みの通話希望メッセージの表示を送信側の電話機からキャンセルできるようにする。
【００８６】
図１７は、第４の実施の形態における通信システム４００の全体構成を示す図である。
図１７に示すように、通信システム４００において、電話機１Ａ及び１Ｂの操作部１３は、それぞれに、取り消し指示手段としての表示キャンセルボタン１３ｅが備えられている。
【００８７】
また、記憶部１５のプログラム記憶部１５０には、システムプログラムの他、図示しない処理プログラム１５ｄが記憶されている。ＣＰＵ１１は、処理プログラム１５ｄとの協働により、通話動作や、通話希望通知動作に係る各処理（図７、図１２、図１３、図１６、図１９〜図２１参照）を実行し、制御手段、通話希望送信手段、キャンセル情報送信手段として機能する。
【００８８】
また、記憶部１５には、図１１に示すメッセージテーブル１５１が記憶されている。
また、記憶部１５には、表示時間設定記憶部及びメッセージ番号記憶部のほか、メッセージ送信履歴記憶部１５２が設けられている。
図１８に、メッセージ送信履歴記憶部１５２の一例を示す。図１８に示すように、メッセージ送信履歴記憶部１５２には、「送信時刻」領域、「メッセージ番号」領域、「相手先電話番号」領域、「表示終了時刻」領域が設けられており、これらの項目からなる送信履歴情報を記憶できるようになっている。
その他の通信システム４００の構成は、第３の実施の形態で説明したものと同様であるので説明を援用する。
【００８９】
次に、第４の実施の形態における通信システム４００の動作について説明する。
通信システム４００における通話動作は、第１の実施の形態で説明したものと同様であるので説明を援用する。
また、通話希望通知動作の発信側の処理における、初期設定処理、メッセージボタン処理は、それぞれ第３の実施の形態で説明した初期設定処理Ｃ（図１２参照）、メッセージボタン処理Ｃ（図１３参照）と同様であり、時間設定ボタン処理は、第２の実施の形態で説明した時間設定ボタン処理（図７参照）と同様であるので説明を援用し、通話希望ボタン処理について説明する。
【００９０】
図１９は、電話機１Ａ又は１Ｂにおいて通話希望ボタン１３ｂが押下された際にＣＰＵ１１と処理プログラム１５ｄとの協働により実行される通話希望ボタン処理Ｄを示すフローチャートである。
通話希望ボタン処理Ｄにおいては、図１９に示すように、まず、ステップＳ１２１〜ステップＳ１２５の処理が実行され、通話希望情報、表示時間設定情報、及びメッセージ番号が相手先電話番号宛に送信される。ステップＳ１２１〜ステップＳ１２５の処理は、図１５に示すステップＳ９１〜ステップＳ９５の処理と同様であるので説明を援用する。
【００９１】
ステップＳ１２６においては、通話希望情報の送信時刻、メッセージ番号、相手先電話番号、表示終了時刻が記憶部１５のメッセージ送信履歴記憶部１５２に記憶され（ステップＳ１２６）、通話希望ボタン処理Ｄは終了する。
なお、図示しないが、電話機１Ａ及び１Ｂには現在時刻を計時するための計時部が備えられており、送信時刻としては、ステップＳ１２５において通話希望情報等が送信された時刻が記憶され、表示終了時刻としては、送信時刻に表示時間設定情報の表示時間を加算した時刻が記憶される。
【００９２】
電話機１Ａ又は１Ｂにおいては、通話希望情報を受信すると、図１６に示す通話希望通知表示処理Ｃと同様の処理が実行される。通話希望通知表示処理Ｃは、第３の実施の形態で説明したものと同様であるので説明を援用する。
【００９３】
次に、通話希望メッセージ表示キャンセル動作について説明する。
まず、通話希望情報の送信側の電話機１Ａ又は１Ｂにおいて、表示キャンセルボタン１３ｅが押下されたときに実行される表示キャンセル送信処理について説明する。
図２０は、表示キャンセルボタン１３ｅが押下された際にＣＰＵ１１と処理プログラム１５ｄにより実行される表示キャンセルボタン処理の動作を示すフローチャートである。
【００９４】
表示キャンセルボタン処理においては、まず、表示部１４の表示パネル１４ａにメッセージ送信履歴が表示されているか否かが判断される（ステップＳ１３１）。
表示パネル１４ａにメッセージ送信履歴が表示されていないと判断されると（ステップＳ１３１；ＮＯ）、現在時刻が計時部から取得される（ステップＳ１３２）。次いで、記憶部１５のメッセージ送信履歴記憶部１５２に記憶されている一の送信履歴情報が取得され（ステップＳ１３３）、現在時刻が表示終了時刻より前であるかが判断される（ステップＳ１３４）。
現在時刻が表示終了時刻よりも前であると判断されると（ステップＳ１３４；ＹＥＳ）、送信履歴情報の送信時刻、通話希望メッセージ、相手先電話番号が表示パネル１４ａに表示され（ステップＳ１３５）、処理はステップＳ１３６に移行する。
一方、現在時刻が表示終了時刻よりも後であると判断されると（ステップＳ１３４；ＮＯ）、処理はステップＳ１３６に移行する。
【００９５】
ステップＳ１３６においては、メッセージ送信履歴記憶部１５２にまだ取得されていない送信履歴情報があるか否かが判断される。メッセージ送信履歴記憶部１５２からまだ取得してない送信履歴情報が存在すると判断されると（ステップＳ１３６；ＹＥＳ）、処理はステップＳ１３３に戻り、ステップＳ１３３〜ステップＳ１３６の処理が繰り返し実行される。メッセージ送信履歴記憶部１５２に記憶されている全ての送信履歴情報が取得されたと判断されると（ステップＳ１３６；ＮＯ）表示キャンセル送信処理は終了する。
【００９６】
一方、ステップＳ１３１において、表示パネル１４ａにメッセージ送信履歴が表示されていると判断されると（ステップＳ１３１；ＹＥＳ）、通信制御部１７により、表示パネル１４ａに表示されている全ての電話番号宛に、通話希望通知の取り消しを指示する表示キャンセル情報が送信され（ステップＳ１３７）、表示キャンセルボタン処理は終了する。具体的には、相手先電話番号と表示キャンセル情報が信号として通信制御部１７により通信ネットワークＮの回線に送信される。信号が回線交換機に到達すると、回線交換機では、送信元電話番号が識別され、表示キャンセル情報に送信元電話番号が付加され、相手先電話番号宛に送信される。
即ち、表示キャンセルボタン１３ｅが１回押下されると表示パネル１４ａに送信履歴情報が表示され、その後表示キャンセルボタン１３ｅが押下されると、現在通話希望通知を表示している電話機に表示キャンセル情報が送信される。
【００９７】
次に、電話機１Ａ又は１Ｂにおいて、表示キャンセル情報を受信した際に実行される処理について説明する。
図２１は、電話機１Ａ又は１Ｂにおいて、通信制御部１７により表示キャンセル情報が着信（受信）された場合に、ＣＰＵ１１により実行される表示キャンセル受信処理の動作を示すフローチャートである。
【００９８】
まず、現在表示部１４の表示パネル１４ａに通話希望メッセージが表示されているか否かが判断される（ステップＳ１４１）。
現在表示パネル１４ａに通話希望メッセージが表示されていないと判断されると（ステップＳ１４１；ＮＯ）、表示キャンセル受信処理は終了する。
【００９９】
一方、現在表示パネル１４ａに通話希望メッセージが表示されていると判断されると（ステップＳ１４１；ＹＥＳ）、表示キャンセル情報に付加されている送信元電話番号が取得される（ステップＳ１４２）。次いで、通話希望メッセージとともに表示パネル１４ａに表示されている送信元電話番号が取得される（ステップＳ１４３）。
【０１００】
次いで、表示キャンセル情報に付加されている送信元電話番号と、表示されている送信元電話番号が一致するか否かが判断される（ステップＳ１４４）。
表示キャンセル情報に付加されている送信元電話番号と、表示されている送信元電話番号が一致しないと判断されると（ステップＳ１４４；ＮＯ）、表示キャンセル受信処理は終了する。
【０１０１】
一方、表示キャンセル情報に付加されている送信元電話番号と、表示されている送信元電話番号が一致すると判断されると（ステップＳ１４４；ＹＥＳ）、タイマー１８が停止され（ステップＳ１４５）、表示パネル１４ａに表示されている通話希望メッセージ及び送信元電話番号が消去され（ステップＳ１４６）、更に、通話希望表示装置１４ｂが消灯され（ステップＳ１４７）、表示キャンセル受信処理は終了する。
【０１０２】
以上のように、第４の実施の形態によれば、第１の通信装置としての送信側の電話機１Ａ又は１Ｂにおいて、表示キャンセルボタン１３ｅが押下されると、ＣＰＵ１１は、メッセージ送信履歴記憶部１５２から表示終了時刻が到来してない相手先電話番号を検索して表示パネル１４ａに表示する。再度表示キャンセルボタン１３ｅが押下されると、ＣＰＵ１１は、通信制御部１７により、表示された相手先電話番号に表示キャンセル情報を送信する。第２の通信装置としての受信側の電話機においては、通信制御部１７により表示キャンセル情報が受信されると、ＣＰＵ１１は、表示キャンセル情報に含まれる送信元電話番号が現在表示中の通話希望メッセージの送信元電話番号と一致するか否かを判断し、一致する場合に、タイマー１８を停止し、通話希望通知の出力を停止する。即ち、通話希望メッセージ及び送信元電話番号を表示パネル１４ａから消去するとともに、通話希望表示装置１４ｂを消灯させる。
【０１０３】
従って、通話希望情報を送信した後で、急な外出や来客等により通話希望通知を取り消したくなったときに、送信元の電話機から送信先の電話機に表示されている通話希望通知の出力を停止させることができるので、利便性が向上する。
【０１０４】
なお、上記第４の実施の形態においては、第３の実施の形態の電話機１Ａ、１Ｂに表示キャンセルボタン１３ｅを設けた例を説明したが、第１、２の実施の形態の電話機１Ａ、１Ｂに表示キャンセルボタン１３ｅを設けることとしてもよい。そして、送信側の電話機において記憶部１５に通話希望情報の送信履歴情報を記憶しておき、表示キャンセルボタン１３ｅが押下された場合に、図２０に示す表示キャンセルボタン処理と同様の処理を行って、送信履歴情報の他の相手先電話番号に表示キャンセル情報を送信することとしてもよい。表示キャンセル情報を受信した電話機においては、図２１に示す表示キャンセル受信処理を実行し、通話希望通知を停止する。
【０１０５】
［第５の実施の形態］
次に、第５の実施の形態について説明する。
第１〜第４の実施の形態においては、相手先の電話機は一つのみ指定できるようになっていた。第５の実施の形態においては、複数の送信先に通話希望メッセージを送信可能とする。
【０１０６】
図２２は、第５の実施の形態における通信システム５００の全体構成を示す図である。
図２２に示すように、通信システム５００は、電話機１Ａ、１Ｂ、１Ｃを含む少なくとも３台以上の電話機が通信ネットワークＮを介して接続可能に構成されている。
【０１０７】
通信システム５００において、電話機１Ａ、１Ｂ、１Ｃ・・・の操作部１３は、それぞれに宛先追加ボタン１３ｆが備えられている。
また、記憶部１５には、システムプログラムの他、処理プログラム１５ｅが記憶されている。ＣＰＵ１１は、処理プログラム１５ｅとの協働により、通話動作や、後述する通話希望通知動作に係る各処理（図２４〜図２５参照）を実行する。
また、記憶部１５には、図２３に示すように、通話希望情報の送信先の電話番号を複数格納するための電話番号情報リスト記憶部１５３が備えられている。
その他の通信システム５００及びこれを構成する電話機１Ａ、１Ｂ、１Ｃ・・・は、それぞれ第１の実施の形態で説明した通信システム１００及び電話機１Ａ、１Ｂと同様の構成であるので説明を援用する。
【０１０８】
次に、第５の実施の形態における通信システム５００の動作について説明する。
通信システム５００における通話動作の処理は、第１の実施の形態で説明したものと同様であるので説明を援用し、以下、通話希望通知動作について説明する。
【０１０９】
第５の実施の形態において、送信側では、一回の通話希望ボタン１３ｂの操作で複数の相手先の電話機に通話希望通知を送信することが可能である。以下、複数の相手先へ通話希望通知を送信するための各処理について説明する。
【０１１０】
図２４は、電話機１Ａ〜１Ｃの何れかにおいて、ダイヤルボタン群１３ａにより相手先電話番号が入力され、宛先追加ボタン１３ｆが押下される毎にＣＰＵ１１により実行される宛先追加ボタン処理の動作を示すフローチャートである。
なお、ダイヤルボタン群１３ａにより入力された相手先の電話番号は、表示パネル１４ａに表示される。
【０１１１】
まず、表示パネル１４ａに表示されている電話番号が取得される（ステップＳ１５１）。
次いで、取得された電話番号が電話番号情報リスト記憶部１５３に追加され（ステップＳ１５２）、宛先追加ボタン処理は終了する。電話番号情報リスト記憶部１５３に追加された電話番号は表示パネル１４ａから消去され、次の電話番号が入力可能となる。
【０１１２】
図２５は、電話機１Ａ〜１Ｃの何れかにおいて、通話希望ボタン１３ｂが押下された際に実行される通話希望ボタン処理Ｅを示すフローチャートである。
【０１１３】
まず、表示パネル１４ａに表示されている電話番号が取得され（ステップＳ１６１）、取得された電話番号が電話番号情報リスト記憶部１５３に追加される（ステップＳ１６２）。
【０１１４】
次いで、電話番号情報リスト記憶部１５３に記憶されている電話番号情報リストが取得され（ステップＳ１６３）、取得された電話番号情報リストに未送信の電話番号があるか否かが判断される（ステップＳ１６４）。
電話番号情報リストに未送信の電話番号がないと判断された場合（ステップＳ１６４；ＮＯ）、通話希望ボタン処理Ｅは終了する。
【０１１５】
電話番号情報リストに未送信の電話番号があると判断されると（ステップＳ１６４；ＹＥＳ）、未送信の電話番号が相手先電話番号として取得され（ステップＳ１６５）、相手先の電話機に対し、予め定められた時間、通話希望通知を表示させるための通話希望情報が作成される（ステップＳ１６６）。そして、通話希望情報が通信制御部１７により通信ネットワークＮを介して相手先電話番号宛に送信される（ステップＳ１６７）。
ステップＳ１６７においては、具体的には、相手先電話番号と通話希望情報が信号として通信制御部１７により通信ネットワークＮの回線に送信される。信号が回線交換機に到達すると、回線交換機では、送信元電話番号が識別され、通話希望情報に送信元電話番号が付加され、相手先電話番号宛に送信される。なお、送信後、相手先となった電話番号は電話番号情報リスト記憶部１５３から削除される。
【０１１６】
通話希望情報の送信後、処理はステップＳ１６４に戻り、電話番号情報リストの全ての電話番号への通話希望情報の送信が終了するまで（未送信の電話番号がなくなるまで）ステップＳ１６４〜Ｓ１６７の処理が繰り返し実行される。電話番号情報リストの全ての電話番号への通話希望情報の送信が終了し、未送信の電話番号がなくなったと判断されると（ステップＳ１６４；ＮＯ）、通話希望ボタン処理Ｅは終了する。
【０１１７】
このように、宛先追加ボタン１３ｆで通話希望情報の相手先の電話番号を追加することにより、複数の相手先の電話番号にまとめて通話希望情報を送信することが可能となる。
通話希望情報を受信した各電話機の動作は、図４の通話希望通知表示処理と同様であるので説明を援用する。
【０１１８】
なお、通話希望情報を送信した複数の電話機の何れかから着信があった場合に、通話希望情報を送信した他の相手先の電話機に、通話希望通知の取り消しを指示するキャンセル情報を送信し、他の電話機の通話希望通知を停止させることとしてもよい。
例えば、通話希望ボタン処理Ｄにおいて通話希望情報を送信後、ＣＰＵ１１は、送信時刻、相手先電話番号、表示終了時刻等の送信履歴情報を記憶部１５に記憶するようにし、記憶部１５に記憶されている送信履歴情報の相手先電話番号の何れかから着信があったときに、図２０に示す表示キャンセルボタン処理を行って、送信履歴情報の他の相手先電話番号に表示キャンセル情報を送信することとしてもよい。表示キャンセル情報を受信した電話機においては、図２１に示す表示キャンセル受信処理を実行し、通話希望通知の出力を停止する。
【０１１９】
このようにすれば、複数の相手先に通話希望情報を送ったが、送信側が電話に忙しくなり、せっかく相手に電話をかけてもらっても対応できないといった不具合を防止することができる。
【０１２０】
また、第５の実施の形態においては、第１の実施の形態における電話機１Ａ、１Ｂに宛先追加ボタン１３ｆを設けた場合を例にとり説明したが、第２〜第４の実施の形態の電話機１Ａ、１Ｂ（１Ｃ）に宛先追加ボタン１３ｆを設けて複数の相手先電話番号を入力可能な構成とし、入力された複数の相手先の電話機のそれぞれに通話希望情報を送信する構成としてもよい。
【０１２１】
以上、第１〜第５の実施の形態について説明したが、上記実施形態における記述内容は、本発明に係る通信システムの好適な一例であり、これに限定されるものではない。
【０１２２】
例えば、上記実施の形態においては、通話希望メッセージ等の通話希望通知は、出力手段としての表示パネル１４ａや通話希望表示装置１４ｂに表示することとして説明したが、音声等により出力することとしてもよい。
また、上記実施の形態においては、相手先の電話番号をダイヤルボタン群１３ａから入力することにより相手先の電話機を指定することとして説明したが、記憶部１５に予め電話帳を登録しておき、電話帳の中から相手先の電話番号を指定（選択）する構成としてもよい。
また、上記実施の形態においては、通話希望通知の表示期間（出力期間）の設定単位、表示単位を時間単位としたが、これに限定されない。例えば、１日、２日等、日単位で表示時間を設定したり表示したりすることも可能な構成としてもよい。
【０１２３】
その他、通信システムを構成する各装置の細部構成及び細部動作に関しても、発明の趣旨を逸脱することのない範囲で適宜変更可能である。
【０１２４】
(付記)
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
＜請求項１＞
相手先の通信装置を指定するための相手先指定手段と、
前記相手先指定手段により指定された相手先の通信装置に対し、通話希望通知を所定の期間、出力させるための通話希望情報を送信する制御手段と、
を備える通信装置。
＜請求項２＞
前記相手先の通信装置に通話希望通知を出力させる期間を設定するための期間設定手段を備える請求項１に記載の通信装置。
＜請求項３＞
前記通話希望通知は、通話希望メッセージを含み、
前記通話希望メッセージを設定するためのメッセージ設定手段を備える請求項１又は２に記載の通信装置。
＜請求項４＞
前記通話希望通知の取り消し指示を入力するための取り消し指示手段を備え、
前記制御手段は、前記取り消し指示手段から入力があった場合に、前記通話希望情報を送信した相手先の通信装置に対し、前記通話希望通知の取り消しを指示するキャンセル情報を送信する請求項１〜３の何れか一項に記載の通信装置。
＜請求項５＞
前記相手先指定手段は、複数の通信装置を相手先として指定可能に構成され、
前記制御手段は、前記相手先指定手段により指定された複数の相手先の通信装置に、通話希望情報を送信する請求項１〜４に何れか一項に記載の通信装置。
＜請求項６＞
前記制御手段は、前記通話希望情報を送信した複数の通信装置の何れかから着信があった場合に、前記通話希望情報を送信した他の相手先の通信装置に、前記通話希望通知の取り消しを指示するキャンセル情報を送信する請求項５に記載の通信装置。
＜請求項７＞
外部の通信装置から通話希望情報を受信する受信手段と、
前記受信手段が前記通話希望情報を受信した場合に、通話希望通知を所定の期間、出力する出力手段と、
を備える通信装置。
＜請求項８＞
前記出力手段は、前記外部の通信装置から前記通話希望情報と併せて前記通話希望通知の出力期間を指示する情報が受信された場合に、前記指示された出力期間、前記通話希望通知を出力する請求項７に記載の通信装置。
＜請求項９＞
前記通話希望通知は、通話希望メッセージを含み、
前記出力手段は、前記外部の通信装置から前記通話希望情報と併せて前記通話希望メッセージを示す情報が受信された場合に、当該受信された通話希望メッセージを示す情報に基づいて、前記通話希望メッセージを出力する請求項７又は８に記載の通信装置。
＜請求項１０＞
前記出力手段は、前記外部の通信装置から前記通話希望通知の取り消しを指示するキャンセル情報が受信された場合に、前記通話希望通知の出力を停止する請求項７〜９の何れか一項に記載の通信装置。
＜請求項１１＞
前記出力手段が、前記通話希望通知を出力している場合に、オフフックをすると前記外部の通信装置に発信する発信手段を備える請求項７〜１０の何れか一項に記載の通信装置。
＜請求項１２＞
前記通信装置は、電話機である請求項１〜１１の何れか一項に記載の通信装置。
＜請求項１３＞
複数の通信装置が通信ネットワークを介して接続される通信システムであって、
前記複数の通信装置のうちの第１の通信装置は、
相手先となる第２の通信装置を指定するための相手先指定手段と、
前記相手先指定手段により指定された第２の通信装置に対し、通話希望通知を所定の期間、出力させるための通話希望情報を送信する通話希望送信手段と、を備え、
前記第２の通信装置は、
前記第１の通信装置から前記通話希望情報を受信した場合に、通話希望通知を所定の期間、出力する出力手段を備える通信システム。
＜請求項１４＞
前記第１の通信装置は、
前記通話希望通知の出力期間を設定するための期間設定手段を備え、
前記通話希望送信手段は、前記第２の通信装置に対し、前記通話希望情報と併せて前記期間設定手段により設定された出力期間を指示する情報を送信し、
前記出力手段は、前記第１の通信装置から前記通話希望情報とともに前記出力期間を指示する情報を受信した場合に、前記指示された出力期間、前記通話希望通知を出力する請求項１３に記載の通信システム。
＜請求項１５＞
前記通話希望通知は、通話希望メッセージを含み、
前記第１の通信装置のそれぞれは、
前記通話希望メッセージを設定するためのメッセージ設定手段を備え、
前記通話希望送信手段は、前記第２の通信装置に対し、前記通話希望情報と併せて前記メッセージ設定手段により設定された通話希望メッセージを示す情報を送信し、
前記出力手段は、前記第１の通信装置から前記通話希望情報とともに前記通話希望メッセージを示す情報を受信した場合に、当該受信された通話希望メッセージを示す情報に基づいて、前記通話希望メッセージを出力する請求項１３又は１４に記載の通信システム。
＜請求項１６＞
前記第１の通信装置は、
前記通話希望通知の取り消し指示を入力するための取り消し指示手段と、
前記取り消し指示手段から入力があった場合に、前記第２の通信装置に対し、前記通話希望通知の取り消しを指示するキャンセル情報を送信するキャンセル情報送信手段と、を備え、
前記出力手段は、前記第１の通信装置から前記キャンセル情報を受信した場合に、前記通話希望通知の出力を停止する請求項１３〜１５の何れか一項に記載の通信システム。
＜請求項１７＞
前記相手先指定手段は、複数の第２の通信装置を相手先として指定可能に構成され、
前記通話希望送信手段は、前記相手先指定手段により指定された複数の第２の通信装置に対し、前記通話希望情報を送信する請求項１３〜１６に何れか一項に記載の通信システム。
＜請求項１８＞
前記通話希望送信手段は、前記複数の第２の通信装置の何れかから着信があった場合に、他の前記第２の通信装置に対し、前記通話希望通知の取り消しを指示するキャンセル情報を送信する請求項１７に記載の通信システム。
＜請求項１９＞
通信装置に用いられるコンピュータを、
相手先の通信装置を指定するための相手先指定手段、
前記相手先指定手段により指定された相手先の通信装置に対し、通話希望通知を所定の期間、出力させるための通話希望情報を送信する制御手段、
として機能させるためのプログラム。
＜請求項２０＞
通信装置に用いられるコンピュータを、
外部の通信装置から通話希望情報を受信する受信手段、
前記受信手段が前記通話希望情報を受信した場合に、通話希望通知を所定の期間、出力する出力手段、
として機能させるためのプログラム。
【符号の説明】
【０１２５】
１００  通信システム
１１  ＣＰＵ
１２  ＲＡＭ
１３  操作部
１３ａ  ダイヤルボタン群
１３ｂ  通話希望ボタン
１３ｃ  時間設定ボタン
１３ｄ  メッセージボタン
１３ｅ  表示キャンセルボタン
１３ｆ  宛先追加ボタン
１４  表示部
１４ａ  表示パネル
１４ｂ  通話希望表示装置
１５  記憶部
１５０  プログラム記憶部
１５１  メッセージテーブル
１５２  メッセージ送信履歴記憶部
１５３  電話番号情報リスト記憶部
１６  送受話部
１７  通信制御部
１８  タイマー
１９  バス
２００  通信システム
３００  通信システム
４００  通信システム
５００  通信システム
【図１】
2014023046.tif 000003
【図２】
2014023046.tif 000004
【図３】
2014023046.tif 000005
【図４】
2014023046.tif 000006
【図５】
2014023046.tif 000007
【図６】
2014023046.tif 000008
【図７】
2014023046.tif 000009
【図８】
2014023046.tif 000010
【図９】
2014023046.tif 000011
【図１０】
2014023046.tif 000012
【図１１】
2014023046.tif 000013
【図１２】
2014023046.tif 000014
【図１３】
2014023046.tif 000015
【図１４】
2014023046.tif 000016
【図１５】
2014023046.tif 000017
【図１６】
2014023046.tif 000018
【図１７】
2014023046.tif 000019
【図１８】
2014023046.tif 000020
【図１９】
2014023046.tif 000021
【図２０】
2014023046.tif 000022
【図２１】
2014023046.tif 000023
【図２２】
2014023046.tif 000024
【図２３】
2014023046.tif 000025
【図２４】
2014023046.tif 000026
【図２５】
2014023046.tif 000027